(57)【要約】【課題】  本発明は浴室、トイレ、洗濯機用の防水パンに関し、特に防水パン端部とコンクリート壁面との間の防水構造に関するもので、防水パンとコンクリ−ト壁面との間が比較的広い場合であっても完全な防水効果が期待できる。【解決手段】  防水パンのフランジ端部と、コンクリート壁面との間の防水構造であって、両端に軟質部材を有する外側押えプレートを用い、該軟質部材によって防水パンとコンクリート壁面とを抑えつつ外側押えプレートをアンカー釘でコンクリート壁面に固定された防水パン端部とコンクリート壁面間の防水構造。４…防水パン、４ａ…防水パンのフランジ部、４ｂ…防止パンの上縁、１５…コンクリート壁面、１６…外側軟質部材、１７…外側押えプレート、１８…アンカー釘、１９…目隠板、２０…止水材、２１…内側軟質部材、２２…内側押えプレート、２２ａ…溝状部、２３…コーナーカバー。【選択図】図１
2004156440.tif 000002
【特許請求の範囲】
【請求項１】
コンクリート基盤上にレベル調整を行って設置された防水パンのフランジ端部と、これに対向するコンクリート壁面との間の防水構造であって、両端に軟質部材を有する外側押えプレートを用い、該軟質部材によって防水パンとコンクリート壁面とを抑えつつ外側押えプレートをアンカー釘でコンクリート壁面に固定されたことを特徴とする防水パン端部とコンクリート壁面間の防水構造。
【請求項２】
外側押えプレートのアンカー釘の部分には目隠板が取り付けられた請求項１記載の防水パン端部とコンクリート壁面間の防水構造。
【請求項３】
外側押えプレートの面に、コーナーカバーが取り付けられた請求項１記載の防水パン端部とコンクリート壁面間の防水構造。
【請求項４】
軟質部材とコンクリ−ト壁面間に止水材が充填された請求項１記載の防水パン端部とコンクリート壁面間の防水構造。
【請求項５】
防水パンの上縁とコンクリート壁面との間に、コンクリート壁面に接触する軟質部材を有する内側押えプレートが設けられた請求項１記載の防水パン端部とコンクリート壁面間の防水構造。
【発明の詳細な説明】
【技術分野】
【０００１】
本発明は浴室、トイレ、洗濯機用の防水パンに関し、特に防水パン端部とコンクリート壁面との間の防水構造に関するものである。
【背景技術】
【０００２】
レベル調整および下地の不陸調整を伴う防水パンにあっては、防水パン自体の裏面に雌ねじ部材が備えられ、当該雌ねじ部材には雄ねじ状脚部材が螺着され、雄ねじ状脚部材を回動させてレベル調整を行なっていた。また、防水パンと支持台とを別体とし、支持台の下面に雄ねじ状脚部材を螺着させたものもあった。
【０００３】
この防水パンをコンクリート基盤上にセットするためには、雄ねじ状脚部材が防水パンの裏面に直接設けられているため、防水パンを持ち上げたり、防水パンの裏側に潜ってレベル調整する必要があった。また、防水パンと別体とした支持台にあっても、レベル調整には５〜６回の支持台のたて起こしを行なって脚部材の高さ調整をし、たて起こしを行なわない場合には、支持台の下側に手を入れて脚部材の高さ調整をする必要があった。さらに、脚部材の高さ調整には雄ねじ部材を利用しているため、ねじのクリアランスによるガタツキを防止すべく、ロックナット（二重ナット）を使用する必要のある場合があり、夫々のレベル調整には十分な配慮を必要としていた。
【０００４】
まして、防水パン端部とコンクリート壁面との間の漏水については十分な対策がなされていたとは言えず、通常は単に充填材にて隙間を埋めることが行われていた程度である。このため、止水効果は十分であるといえない状況であり、見栄えの点でも改善すべき点は多かった。
【発明の開示】
【発明が解決しようとする課題】
【０００５】
本発明は以上のような従来の技術に鑑みてなされたものであって、防水パン端部とコンクリート壁面との間の漏水について、新たな提案することを目的とするものである。
【課題を解決するための手段】
【０００６】
本発明の要旨は、コンクリート基盤上にレベル調整を行って設置された防水パンのフランジ端部と、これに対向するコンクリート壁面との間の防水構造であって、両端に軟質部材を有する外側押えプレートを用い、該軟質部材によって防水パンとコンクリート壁面とを抑えつつ外側押えプレートをアンカー釘でコンクリート壁面に固定された防水パン端部とコンクリート壁面間の防水構造にかかるものである。
【発明の効果】
【０００７】
本発明は以上のような構成を有するものであり、防水パンとコンクリ−ト壁面との間からの漏水は完全に阻止できることとなったものである。
【発明を実施するための最良の形態】
【０００８】
以下、本発明を図面をもって更に詳細に説明する。
図１は支持台の上に防水パンを載置した状態を示す一部断面図であり、図２はそのレベル調整部の一部断面図である。図中、１は防水パン設置用支持台であって、脚ボルト２を介してコンクリート基盤３上に配置され、防水パン４が設置されている。支持台１は、角型鋼管５の上に耐水合板６を載置したものであり、耐水合板６の上には制振材１２が設けられている。貫通孔７は脚ボルト２の必要に応じて角型鋼管５と耐水合板６との交差部または角型鋼管５に設けられ、角型鋼管５の下面には貫通孔７に合致して下面ナット８が溶接されている。この下面ナット８に対して、脚ボルト２が螺着されるものであって、図２に示すように、その頭部に回動係合部として、一文字溝９が刻設されている。また、角型鋼管５の側面には側面ナット１３が溶接されており、この側面ナット１３に対して、横支持ボルト１４が螺着されている。
【０００９】
支持台１は、図２に示すように、５０ｍｍ×３０ｍｍの角型鋼管５と１２ｍｍ厚の耐水合板６からなり、角型鋼管５に溶接された下面ナット８にＭ１６の脚ボルト２を螺合した状態でコンクリート基盤３上に載置される。なお、図２の実施例においては、厚さ２ｍｍでゴムからなる制振材１２を予め耐水合板６上に載置し、貫通孔７を設けてある。そして、上方より孔径１２ｍｍの貫通孔７を通してドライバー１０を一文字溝９に差し込んで脚ボルト２を回動し、レベルを調整することとなる。この脚ボルト２には予め緩み止め用のねじロック剤等を塗布しておけば、レベル調整がなされた状態を保持することとなる。
【００１０】
このようにして、全ての脚ボルト２のレベル調整の後に、図１に示される横支持ボルト１４を図示しないスパナによって回動し、横支持ボルト１４の頭部をコンクリート壁面１５に押圧して支持台１の横揺れを防止する。この横支持ボルト１４にも予め緩み止め用のねじロック剤等を塗布しておけば、コンクリート壁面を押圧した状態を保持することとなる。また、図２に示されているように、脚ボルト２の頭部とコンクリート基盤３との間および横支持ボルト１４の頭部とコンクリート壁面１５との間は、コンクリートボンド１１により固定してある。
【００１１】
さて、図１において、防水パン４のフランジ部４ａの外側面とコンクリート壁面１５との間に、両側に軟質部材１６を有する外側押えプレート１７により漏水が防止される構造である。外側押えプレート１７はアンカー釘１８でコンクリート壁面１５に固定され、好ましくは、アンカー釘１８の部分には目隠板１９が取り付けられている。
【００１２】
また、コンクリ−ト壁面１５に対向する軟質部材１６の内側には止水材２０が充填されるのが望ましく、こうすることによって漏水が効果的に防止できることとなる。
【００１３】
更に、防水パン４の上縁４ｂとコンクリート壁面１５との間には、軟質部材２１を有する内側押えプレート２２が設けられ、内側押えプレ−ト２２におけるコ字状の溝部２２ａを防水パン４の上縁４ｂに嵌め合わせることによって、漏水は完全に防止される。
【００１４】
更にまた、外側押えプレート１７の上には、コーナーカバー２３が取り付けられ、外観上の見栄えが優れたものとなる。
【産業上の利用可能性】
【００１５】
この実施例によれば、防水パンとコンクリ−ト壁面間の漏水は完全に防止できたものであり、その作業も比較的簡単である。そして、防水パンとコンクリ−ト壁面との間が比較的広い場合であってもその防水効果は完全である。
【図面の簡単な説明】
【００１６】
【図１】図１は支持台の上に防水パンを載置した状態の一部断面図である。
【図２】図２は支持台のレベル調整部を示す一部断面図である。
【符号の説明】
【００１７】
１…防水パン設置用支持台
２…脚ボルト
３…コンクリート基盤
４…防水パン
４ａ…防水パンのフランジ部
４ｂ…防水パンの上縁
５…支持台を構成する角型鋼管
６…支持台を構成する耐水合板
７…貫通孔
８…下面ナット
９…脚ボルト頭部の回動係合部である一文字溝
１０…ドライバー
１１…コンクリートボンド
１２…制振材
１３…側面ナット
１４…横支持ボルト
１５…コンクリート壁面
１６…外側軟質部材
１７…外側押えプレート
１８…アンカー釘
１９…目隠板
２０…止水材
２１…内側軟質部材
２２…内側押えプレート
２２ａ…内側押えプレ−トのコ字状溝部
２３…コーナーカバー
【図１】
2004156440.tif 000003
【図２】
2004156440.tif 000004